(57)【特許請求の範囲】
【請求項１】
目的地を設定する操作部と、
出発地から該設定された目的地までの誘導経路を探索する誘導経路探索部と、
前記操作部により目的地が設定されたことを検出したとき、オーディオのソース切替え順序をランダムに決定するソース切替え順序発生部と、
発生したオーディオのソース切替え順序を記憶しておく第１の記憶部と、
前記操作部により目的地が設定されたときの視聴ソースの情報を記憶する第２の記憶部と、
前記第１の記憶部に記憶されたソース切替え順序と前記第２の記憶部に記憶した視聴ソースの情報を用いて、視聴ソースの再生が終了する毎に、目的地到着時まで順次ソースの切り替えを行うオーディオ制御部と、
を備えたことを特徴とするオーディオナビゲーション装置。
【請求項２】
ナビゲーション装置の操作部により目的地が設定されたことを検出し、
目的地が設定されたことを検出したとき、出発地から目的地までの誘導経路を探索し、
ランダムにオーディオのソース切替え順序を決定し、
目的地に到着するまで、目的地設定時に視聴しているソースの情報と、前記ランダムに決定されたオーディオのソース切替え順序とを用いて、視聴ソースの再生が終了する毎に、順次オーディオのソースを自動的に切替えて再生することを特徴とするナビゲーション情報を用いたオーディオ制御方法。
【請求項３】
ナビゲーション装置からの目的地設定の情報と目的地到達の情報を入力する目的地情報入力部と、
前記目的地情報入力部に目的地設定の情報が入力されたとき、オーディオのソース切替え順序をランダムに決定するソース切替え順序発生部と
発生したオーディオのソース切替え順序を記憶しておく第１の記憶部と、
視聴ソースの情報を記憶する第２の記憶部と、
前記第１の記憶部に記憶されたソース切替え順序と前記第２の記憶部に記憶した視聴ソースの情報を用いて、前記目的地情報入力部に目的地到達の信号が入力
されるときまで視聴ソースの再生が終了する毎に、順次オーディオのソースの切り替えを行うオーディオ制御部と、
を備えたことを特徴とするオーディオ装置。
【請求項４】
目的地設定の情報が入力されたとき、オーディオのソース切替え順序をランダムに発生し、
更に、視聴ソースの情報を検出し、
該ソース切替え順序と視聴ソースの情報を用いて、目的地到達の信号が入力されるときまで、視聴ソースの再生が終了する毎に、順次オーディオのソースの切り替えを自動的に行うことを特徴とするナビゲーション情報を用いたオーディオ制御方法。
【発明の詳細な説明】
【０００１】
【発明の属する技術分野】
本発明はオーディオナビゲーション装置に係り、特にナビゲーション装置による目的地等のナビゲーション情報を利用してオーディオの制御を行うオーディオナビゲーション装置に関する。
【０００２】
【従来の技術】
近年、オーディオ装置だけでなく、ナビゲーション装置も装着した車両が増えてきている。これに伴いユーザーはオーディオ装置で様々なソースの音楽を聞きながらナビゲーション装置を利用して目的地まで車両を運転するという機会が多くなっている。
【０００３】
又、オーディオ装置とナビゲーション装置が一体化されたものも製品化されており、今後、様々なソースの音楽を聞きながらナビゲーション装置を利用して目的地まで車両を運転するというユーザーが増加することが考えられる。
【０００４】
【発明が解決しようとする課題】
しかしながら、オーディオ装置とナビゲーション装置は互いに情報のやりとりを行わない。又、ユーザーが操作を行わない限りオーディオ装置はソースの切替えを行わないため、延々と現在視聴しているソースの曲を繰り返し再生してしまう。このため、ユーザーは同じ曲の視聴に飽き、目的地に到達するまでその都度ソースを切替えており大変不便であった。
【０００５】
以上から、本発明の目的はナビゲーション装置で目的地を設定してから目的地に到達するまで同じソースの同じ曲を極力再生しないオーディオナビゲーション装置を提供することである。
【０００６】
又、本発明の別の目的は外部からナビゲーション情報を受信し、受信した情報を利用して目的地を設定してから目的地に到達するまで同じソースの同じ曲を極力再生しないオーディオ装置、及びナビゲーション情報を用いたオーディオ制御方法を提供することである。
【０００７】
【課題を解決するための手段】
上記第１の課題は、本発明によればオーディオのソース切替え順序を記憶しておく第１の記憶部と、目的地を設定する操作部と、該操作部により設定された目的地を検索し誘導経路を発生する誘導経路発生部と、前記操作部により目的地を設定したとき、視聴ソースの情報を記憶する第２の記憶部と、前記第１の記憶部に記憶されたソース切替え順序と前記第２の記憶部に記憶した視聴ソースの情報を用いてソースの切り替えを行い、目的地到達時に前記第２の記憶部に記憶した視聴ソースの情報を消去するオーディオ制御部とを備えることにより達成される。
【０００８】
又、上記第１の課題は、本発明によれば目的地を設定する操作部と、該操作部により設定された目的地を検索し誘導経路を発生する誘導経路発生部と、前記操作部により目的地が設定されたとき、オーディオのソース切替え順序をランダムに決定するソース切替え順序発生部と、発生したオーディオのソース切替え順序を記憶しておく第１の記憶部と、前記操作部により目的地が設定されたとき、視聴ソースの情報を記憶する第２の記憶部と、前記第１の記憶部に記憶されたソース切替え順序と前記第２の記憶部に記憶した視聴ソースの情報を用いてソースの切り替えを行い、目的地到達時に第２の記憶部に記憶した視聴ソースの情報を消去するオーディオ制御部とを備えることにより達成される。
【０００９】
又、上記第２の課題は、本発明によればナビゲーション装置からの目的地設定の情報と目的地到達の情報を入力する目的地情報入力部と、オーディオのソース切替え順序を記憶しておく第１の記憶部と、前記目的地情報入力部に目的地設定の情報が入力されたとき、視聴ソースの情報を記憶する第２の記憶部と、前記第１の記憶部に記憶されたソース切替え順序と前記第２の記憶部に記憶した視聴ソースの情報を用いてソースの切り替えを行い、前記目的地情報入力部に目的地到達の信号が入力されたとき、前記第２の記憶部に記憶した視聴ソースの情報を消去するオーディオ制御部とを備えることにより達成される。
【００１０】
又、上記第２の課題は、本発明によれば、ナビゲーション装置からの目的地設定の情報と目的地到達の情報を入力する目的地情報入力部と、前記目的地情報入力部に目的地設定の情報が入力されたとき、オーディオのソース切替え順序をランダムに決定するソース切替え順序発生部と、発生したオーディオのソース切替え順序を記憶しておく第１の記憶部と、視聴ソースの情報を記憶する第２の記憶部と、前記第１の記憶部に記憶されたソース切替え順序と前記第２の記憶部に記憶した視聴ソースの情報を用いてソースの切り替えを行い、前記目的地情報入力部に目的地到達の信号が入力されたとき、前記第２の記憶部に記憶した視聴ソースの情報を消去するオーディオ制御部とを備えることにより達成される。
【００１１】
【発明の実施の形態】
（Ａ）本発明第１の概略説明
本発明のオーディオナビゲーション装置では、オーディオのソース切替え順序、例えば現在ユーザーが視聴しているソースがＣＤチェンジャーであれば、ＣＤチェンジャーの次がＣＤプレーヤ、その次がＭＤプレーヤ、その次がラジオというようなソース切替え順序をメモリに記憶しておく。そして図１（ａ）に示すように自車位置ＣＭのいる地点ＰＰで目的地Ｄを設定したとき、視聴ソース情報として、例えば、ユーザーが視聴ソースとしてＣＤチェンジャーを選択していた場合、視聴ソースの情報としてＣＤチェンジャーの何枚目、何曲目、経過時間等の情報をメモリに記憶する。
【００１２】
そして、記憶した情報と同一の情報の所まで再生された場合、次のソースの再生に移る。即ち、図１（ｂ）に示すように、目的地Ｄに到達するまでの間、記憶しておいたソース切替え順序と目的地Ｄを設定したときに記憶した視聴ソースの情報を用いてソースの切り替えを行う。次に目的地Ｄに到達した場合は、目的地Ｄを設定したときに記憶した視聴ソースの情報を消去して、ソース切替え動作を終了する。
これにより、現在地から目的地に到達するまで、ユーザー自身でソースを切替えることなくソースを切替え、同じ曲を再生しないようにすることができる。
【００１３】
（Ｂ）本発明第２の概略説明
本発明のオーディオ、ナビゲーション装置では、図１（ａ）に示すように自車位置ＣＭのいる地点ＰＰで目的地Ｄを設定したとき、ソースの切替え順序をランダムに、例えばＣＤチェンジャー、ＭＤプレーヤ、ＣＤプレーヤ、ラジオの順というように決定しメモリに記憶する。又、視聴ソース情報として、例えば、ユーザーが視聴ソースとしてＣＤチェンジャーを選択していた場合、視聴ソースの情報としてＣＤチェンジャーの何枚目、何曲目、経過時間等の情報をメモリに記憶する。
【００１４】
そして、記憶した情報と同一の情報の所まで再生された場合、次のソースの再生に移る。即ち、目的地Ｄに到達するまでの間、記憶したソース切替え順序と目的地Ｄを設定したときに記憶した視聴ソースの情報を用いてソースの切り替えを行う。目的地Ｄに到達した場合は、目的地Ｄを設定したときに記憶した視聴ソースの情報を消去して、ソースの切替え動作を終了する。
これにより、現在地から目的地に到達するまで、ユーザー自身でソースを切替えることなくソースを切替え、同じ曲を再生しないようにすることができる。
【００１５】
（Ｃ）本発明第３の概略説明
本発明のオーディオ装置では、オーディオのソース切替え順序、例えば現在ユーザーが視聴しているソースがＣＤチェンジャーであれば、ＣＤチェンジャーの次がＣＤプレーヤ、その次がＭＤプレーヤ、その次がラジオというようなソース切替え順序をメモリに記憶しておく。そして目的地設定の信号が入力されたとき、視聴ソース情報として、例えば、ユーザーが視聴ソースとしてＣＤチェンジャーを選択していた場合、視聴ソースの情報としてＣＤチェンジャーの何枚目、何曲目、経過時間等の情報をメモリに記憶する。
【００１６】
そして、記憶した情報と同一の情報の所まで再生された場合、次のソースの再生に移る。即ち、目的地Ｄに到達するまでの間、記憶しておいたソース切替え順序と目的地Ｄを設定したときに記憶した視聴ソースの情報を用いてソースの切り替えを行う。目的地到達の信号が入力された場合は、目的地設定の信号が入力されたときに記憶した視聴ソースの情報を消去して、ソースの切替え動作を終了する。
これにより、現在地から目的地に到達するまで、ユーザー自身でソースを切替えることなくソースを切替え、同じ曲を再生しないようにすることができる。
【００１７】
（Ｄ）本発明第４の概略説明
本発明のオーディオ装置では、目的地設定の信号が入力されたとき、現在視聴しているソースの視聴終了後にソース切替え順序をランダムに発生させ、メモリに記憶する。そして、更に、視聴ソース情報として、例えば、ユーザーが視聴ソースとしてＣＤチェンジャーを選択していた場合、視聴ソースの情報としてＣＤチェンジャーの何枚目、何曲目、経過時間等の情報を記憶する。
【００１８】
そして、記憶した情報と同一の情報の所まで再生された場合、次のソースの再生に移る。即ち、目的地Ｄに到達するまでの間、ランダムに発生させ記憶しておいたソース切替え順序と目的地設定の信号が入力されたときに記憶した視聴ソースの情報を用いてソースの切り替えを行う。目的地到達の信号が入力された場合は、目的地設定の信号が入力されたときに記憶した視聴ソースの情報を消去して、ソースの切替え動作を終了する。
これにより、現在地から目的地に到達するまで、ユーザー自身でソースを切替えることなくソースを切替え、同じ曲を再生しないようにすることができる。
【００１９】
（Ｅ）本発明の第１実施例
（ａ）オーディオナビゲーション装置の構成
図２は本発明第１実施例のオーディオナビゲーション装置の構成図である。図中１１は地図情報を記憶する記憶媒体で、例えばＤＶＤ−ＲＯＭ、１２はＤＶＤ−ＲＯＭ１１からの地図情報の読み取りを制御するＤＶＤ−ＲＯＭ制御部、１３は車両の現在位置を測定する位置測定装置であり、移動距離を検出する車速センサー、移動方位を検出する角速度センサー、ＧＰＳレシーバ、位置計算用ＣＰＵ等で構成されている。
【００２０】
１４はＤＶＤ−ＲＯＭから読み出した地図情報を記憶する地図情報メモリ、１５は目的地設定操作、拡大／縮小操作、手動地図スクロール等を行うリモコン、１６はリモコンインターフェースである。１７はナビゲーション装置全体を制御するプロセッサ（ＣＰＵ）であり、目的地設定情報や目的地到達情報の出力も行う、１８は各種プログラム（誘導経路探索処理プログラムやマップマッチング処理プログラム等）を記憶するＲＯＭである。
【００２１】
１９は各種プログラムの処理結果を記憶するＲＡＭ、２０は地図画像を発生する地図画像発生部、２１は地図画像発生部２０が発生した地図画像を記憶するビデオＲＡＭ（ＶＲＡＭ）、２２はメニュー画像を発生するメニュー発生部、２３は誘導経路発生部であり、ＲＡＭ１９に記憶された誘導経路を発生する。２４は自車位置やランドマーク等を発生するマーク発生部、２５は各種画像を合成して出力する画像発生部、２６は画像発生部から出力される画像を表示する表示装置、２７はバスである。
【００２２】
２８はオーディオ装置全体を制御するオーディオ制御部であり、ＣＰＵ１７より出力された目的地設定情報や目的地到達情報が入力され、その情報を処理したり、ソース切替えの制御を行う。２９はメモリであり、ソース切替え順序を記憶するソース切替え順序記憶領域２９ａとオーディオ制御部２８に目的地設定情報が入力されたときオーディオ制御部２８が視聴ソース情報を記憶する視聴ソース情報記憶領域２９ｂが含まれる。例えばユーザーが視聴ソースとしてＣＤチェンジャーを選択していた場合、ＣＤチェンジャーの何枚目、何曲目、経過時間等の情報を記憶する。
【００２３】
３０はＣＤの再生を行うＣＤプレーヤ、３１はＭＤの再生を行うＭＤプレーヤ、３２は複数のＣＤの再生を行うＣＤチェンジャー、３３はＡＭやＦＭ等の放送を受信するラジオ、３４は各ソースからの音声信号を増幅するアンプ、３５はアンプで増幅された音声信号を出力するスピーカーである。
【００２４】
（ｂ）メモリの記憶内容
図３はメモリ２９（図２）の記憶内容の説明図である。メモリ２９にはソース切替え順序を記憶するソース切替え順序記憶領域２９ａがあり、この領域には現在の視聴ソースに対応するソース切替え順序が記憶されている。例えば、現在視聴しているソースがＣＤチェンジャーであれば、図３（ａ−1）に示すように、ＣＤチェンジャーの視聴終了後にＣＤプレーヤ、ＭＤプレーヤ、ラジオの順に切替えるようにソース切替え順序が記憶されている。
【００２５】
同様に、現在視聴しているソースがＣＤプレーヤであれば、図３（ａ−２）に示すように、ＣＤプレーヤの視聴終了後に、ＭＤプレーヤ、ＣＤチェンジャー、ラジオの順、現在視聴しているソースがＭＤプレーヤであれば、図３（ａ−３）に示すように、ＭＤプレーヤの視聴終了後に、ＣＤプレーヤ、ＣＤチェンジャー、ラジオの順、現在視聴しているソースがラジオであれば、図３（ａ−４）に示すように、ＣＤプレーヤ、ＭＤプレーヤ、ＣＤチェンジャーの順に切替えるようにソース切替え順序が記憶されている。尚、現在視聴しているソースがラジオの場合、所定時間、例えばラジオの視聴時間が１時間経過したら次のソースに切替えるようにすれば良い。又、デジタルラジオであれば現在視聴中のプログラムの終了を検知できるので現在視聴中のプログラムが終了した後、次のソースに切替えても良い。
【００２６】
又、メモリ２９には視聴ソース情報記憶領域２９ｂがあり、この領域にはオーディオ制御部２８に目的地設定情報が入力されたときオーディオ制御部２８が視聴ソース情報として、例えば、ユーザーが視聴ソースとしてＣＤチェンジャーを選択していた場合、図３（ｂ）に示すように、ＣＤチェンジャーの何枚目、何曲目、経過時間等の情報を「ＣＤＣ６−７−０１：２５」というように記憶する。
【００２７】
その他に、視聴ソースの状態を図３（ｃ）に示すように、例えばＣＤチェンジャー、ＣＤプレーヤは既に再生が終了、現在はＭＤプレーヤの３曲目、２分５１秒というように記憶しておく。そうすることで目的地までの運転中にユーザーが休憩等で車の電源を一旦切った場合でも、次回の電源投入時に電源を切ったところから再生が可能になる。
【００２８】
（ｃ）本発明第１実施例のフローチャート
図４は本発明第１実施例のフローチャートである。まず、ユーザーがリモコン１５（図２）を用いて目的地の設定操作を行うとＣＰＵ１７がＲＯＭ１８に記憶してある誘導経路探索処理プログラムを用いて出発地（現在地）から目的地までの誘導経路を探索すると同時にバス２７上に目的地設定信号を出力する。そして、オーディオ制御部２８は目的地設定信号が入力されたか否かを判定し（ステップ１０１）、入力がされていない場合は特別な処理は行わず、入力された場合は現在視聴中のソースの情報を認識し、メモリ２９中の視聴ソース情報記憶領域２９ｂに現在視聴しているソース、ディスク番号、曲番号、経過時間を記憶する（ステップ１０２）。又、図３（ｃ）に示すような視聴ソースの状態も逐一記憶しておく。
【００２９】
次に、オーディオ制御部２８は目的地到達情報が入力されたか否かを判定し（ステップ１０３）、入力されていない場合は現在視聴しているソースの再生が終了したか否かを判定する（ステップ１０４）。ステップ１０４において、現在視聴しているソースの再生が終了していないとオーディオ制御部２８が判定した場合はステップ１０３に戻り、再度、目的地到達情報が入力されたか否かの判定を行う。一方、現在視聴しているソースの再生が終了したとオーディオ制御部２８が判定した場合、オーディオ制御部２８はラジオ以外、全てのソースの再生が終了したか否かを視聴ソース情報記憶領域２９ｂの情報より判定する（ステップ１０５）。
【００３０】
ステップ１０５において、ラジオ以外、全てのソースの再生が終了していないとオーディオ制御部２８が判定した場合はソース切替え順序記憶領域２９ａに記憶されている順序に沿って次のソースに切替え（ステップ１０６）、その後ステップ１０３に戻り、再度、目的地到達情報が入力されたか否かの判定を行う。一方、全てのソースの再生が終了したとオーディオ制御部２８が判定した場合はラジオに切替える（ステップ１０７）。
【００３１】
ついで、オーディオ制御部２８は目的地到達情報が入力されたか否かを判定し（ステップ１０８）、目的地到達情報が入力されていない場合は目的地到達情報が入力されるまで、目的地到達情報が入力されたか否かを判定し続ける。一方、目的地到達情報が入力された場合は、目的地設定信号入力時に記憶した情報を視聴ソース情報記憶領域２９ｂより消去する（ステップ１０９）。ステップ１０３において、目的地到達情報が入力された場合は、ステップ１０９の目的地設定信号入力時に記憶した情報を視聴ソース情報記憶領域２９ｂより消去する処理を行う。
【００３２】
（Ｆ）本発明の第２実施例
（ａ）オーディオナビゲーション装置の構成
図５は本発明第２実施例のオーディオナビゲーション装置の構成図であり、第１実施例の構成図（図２）にＣＰＵ１７が目的地設定情報の信号をバス２７上に出力し、その目的地設定情報の信号がオーディオ制御部２８に入力されたとき、オーディオのソース切替え順序をランダムに決定するソース切替え順序発生部３６が付加されている。
【００３３】
（ｂ）メモリの記憶内容
メモリ２９（図５）の記憶内容は第１実施例（図３）と同様であるが、第１実施例では、予め現在視聴しているソースに対応したソース切替え順序を記憶しておいたのに対して、本実施例ではソース切替え順序発生部３６が決定したソース切替え順序をソース切替え順序記憶領域２９ａに記憶する。
【００３４】
（ｃ）本発明第２実施例のフローチャート
図６は本発明第２実施例のフローチャートである。尚、第１実施例のフローチャート（図４）と同一のステップには同一の番号を付してある。
まず、ユーザーがリモコン１５（図５）を用いて目的地の設定操作を行うとＣＰＵ１７がＲＯＭ１８に記憶してある誘導経路探索処理プログラムを用いて出発地から目的地までの誘導経路を探索すると同時にバス２７上に目的地設定信号を出力する。そして、オーディオ制御部２８は目的地設定信号が入力されたか否かを判定し（ステップ１０１）、入力がされていない場合は特別な処理は行わず、入力された場合は現在視聴中のソースの情報を認識し、メモリ２９中の視聴ソース情報記憶領域２９ｂに現在視聴しているソース、ディスク番号、曲番号、経過時間を記憶する（ステップ１０２）。又、図３（ｃ）に示すような視聴ソースの状態も逐一記憶しておく。
【００３５】
次に、ソース切替え順序発生部３６が現在視聴しているソース以外のソースからソース切替え順序をランダムに決定し（ステップ２００）、決定したソース切替え順序をソース切替え順序記憶領域２９ａに記憶する。以降の処理は第１実施例（図４）と同様である。
【００３６】
（Ｇ）本発明の第３実施例
図７は本発明第３実施例のオーディオ装置の構成図であり、第１実施例の構成図（図２）から、オーディオ装置のみにした構成である。又、メモリの記憶内容は第１実施例（図３）と同様であり、フローチャートは第１実施例のフローチャート（図４）と同一である。
【００３７】
（Ｈ）本発明の第４実施例
図８は本発明第４実施例のオーディオ装置の構成図であり、第２実施例の構成図（図５）から、オーディオ装置のみにした構成である。又、メモリの記憶内容は第２実施例と同様であり、フローチャートは第２実施例のフローチャート（図６）と同一である。
【００３８】
上記第１〜第４実施例では目的地設定時にオーディオ装置に電源が入っている場合であったが、目的地設定時にオーディオ装置に電源が入っていない場合は特に何も行わない。但し、途中でオーディオ装置に電源が投入された場合はその時点よりソース切替え動作を開始する。
【００３９】
【発明の効果】
本発明によれば、ナビゲーション装置の操作部により目的地が設定されたとき、目的地検索を行い、誘導経路を発生し、ランダムにオーディオのソース切替え順序を決定して記憶し、更に現在視聴しているソースの情報を記憶し、目的地に到着するまで、記憶したランダムなオーディオのソース切替え順序と更に記憶したソースの情報を用いて順次オーディオのソースを切替え、目的地到達時に記憶した視聴ソースの情報を消去するので、ナビゲーション装置で目的地を設定してから目的地に到達するまで同じソースの同じ曲を極力再生しないようにすることができる。
【００４０】
又、本発明によれば、目的地設定の情報が入力されたとき、オーディオのソース切替え順序をランダムに発生し、発生したオーディオのソース切替え順序と視聴ソースの情報を記憶し、記憶されたソース切替え順序と視聴ソースの情報を用いてソースの切り替えを行い、目的地到達の信号が入力されるときまで、視聴ソースの再生が終了する毎に、順次オーディオのソースの切り替えを行うので、利用して同じソースの同じ曲を極力再生しないようにすることができる。
【００４３】
【図面の簡単な説明】
【図１】本発明第１の概略説明図である。
【図２】本発明第１実施例のオーディオナビゲーション装置の構成図である。
【図３】メモリの記憶内容の説明図である。
【図４】本発明第１実施例のフローチャートである。
【図５】本発明第２実施例ののオーディオナビゲーション装置の構成図である。
【図６】本発明第２実施例のフローチャートである。
【図７】本発明第３実施例のオーディオ装置の構成図である。
【図８】本発明第４実施例のオーディオ装置の構成図である。
【符号の説明】
２６・・表示装置
ＣＭ・・自車位置マーク
ＰＰ・・自車の現在地
Ｄ・・目的地
ＲＴ・・誘導経路
【図１】
0003996368.tif 000002
【図２】
0003996368.tif 000003
【図３】
0003996368.tif 000004
【図４】
0003996368.tif 000005
【図５】
0003996368.tif 000006
【図６】
0003996368.tif 000007
【図７】
0003996368.tif 000008
【図８】
0003996368.tif 000009